(57)【要約】【課題】寒冷季における冷庫モードにある商品庫の庫内商品の凍結を防止する。【解決手段】庫内商品の払い出しを互いに独立に行う第１及び第２の商品庫を設けるとともに、第１商品庫の庫内を冷却する冷却手段、及び、第２商品庫の庫内を加熱する加熱手段を設けてある自動販売機において、第１商品庫の庫内と第２商品庫の庫内とを連通させる連通路、及び、その連通路を開閉する連通路開閉手段を設け、前記加熱手段により第２商品庫の庫内を高温雰囲気に保つ運転下において、第１商品庫の庫内温度検出に基づき、第１商品庫の庫内温度が商品凍結防止用の設定下限温度まで低下したときに前記連通路開閉手段を連通路閉じ状態から連通路開き状態へ切り換える制御手段を設ける。【選択図】　　　　図５
2004054339.tif 000002
【特許請求の範囲】
【請求項１】
庫内商品の払い出しを互いに独立に行う第１及び第２の商品庫を設けるとともに、第１商品庫の庫内を冷却する冷却手段、及び、第２商品庫の庫内を加熱する加熱手段を設けてある自動販売機であって、
第１商品庫の庫内と第２商品庫の庫内とを連通させる連通路、及び、その連通路を開閉する連通路開閉手段を設け、
前記加熱手段により第２商品庫の庫内を高温雰囲気に保つ運転下において、第１商品庫の庫内温度検出に基づき、第１商品庫の庫内温度が商品凍結防止用の設定下限温度まで低下したときに前記連通路開閉手段を連通路閉じ状態から連通路開き状態へ切り換える制御手段を設けてある自動販売機。
【請求項２】
前記制御手段は、前記連通路を開いた状態において第１商品庫の庫内温度が商品凍結防止用の設定下限温度よりも高温の設定解除温度まで上昇回復したときに前記連通路開閉手段を連通路開き状態から連通路閉じ状態へ復帰する構成にしてある請求項１記載の自動販売機。
【請求項３】
前記第２商品庫の庫内空気を前記加熱手段の風路部を通じて循環させるファンを設け、
前記連通路及び前記連通路開閉手段を、連通路開き状態で前記ファンによる庫内空気循環を実施したとき、その庫内空気循環に随伴させて前記ファンの送風機能により第２商品庫の庫内空気を前記連通路を通じて第１商品庫に強制流入させる構成にしてある請求項１又は２記載の自動販売機。
【請求項４】
前記連通路開閉手段を連通路閉じ状態にして前記冷却手段及び前記加熱手段を運転することにより、第１商品庫の庫内を冷却しかつ第２商品庫の庫内を加熱する冷温庫並列モードと、
前記連通路開閉手段を連通路開き状態にし、かつ、前記加熱手段を停止した状態で前記冷却手段を運転することにより、その冷却手段による冷却空気を第１及び第２商品庫の両方の庫内に流通させて第１及び第２商品庫の両方の庫内を冷却する２冷庫並列モードとの切り換えを、
切り換え指令に応じて実行するモード切換手段を設けてある請求項１〜３のいずれか１項に記載の自動販売機。
【発明の詳細な説明】
【０００１】
【発明の属する技術分野】
本発明は、庫内の収納商品に対して冷却や加熱を施す自動販売機に関し、詳しくは、庫内商品の払い出しを互いに独立に行う第１及び第２の商品庫を設けるとともに、第１商品庫の庫内を冷却する冷却手段、及び、第２商品庫の庫内を加熱する加熱手段を設けてある自動販売機に関する。
【０００２】
【従来の技術】
従来、上記の自動販売機は、断熱効果の高いケーシングを用いることで、外気温から受ける影響を抑止し、第１商品庫の庫内を冷却手段により冷却する第１商品庫冷却モード（冷庫モード）では、第１商品庫の庫内温度検出に基づき、冷却手段を運転状態と停止状態とに切り換えることにより、第１商品庫の庫内を好適冷却温度に保ち、また、第２商品庫の庫内を加熱手段により加熱する第２商品庫加熱モード（温庫モード）では、第２商品庫の庫内温度検出に基づき加熱手段を運転状態と停止状態とに切り換えることにより、第２商品庫の庫内を好適加熱温度に保っていた。
【０００３】
【発明が解決しようとする課題】
しかし、上記した従来の自動販売機では、断熱効果の高いケーシングを用いても、極寒地（例えば、北海道）に設置した場合等、寒冷季に、冷却手段が停止した状態にあるにもかかわらず、冷庫モードにある第１商品庫の庫内温度が外気温の影響により大きく低下して、庫内商品の凍結を招来する恐れがあった。
【０００４】
この実情に鑑み、本発明の主たる課題は、合理的な改良により上記問題を効果的に解消する点にある。
【０００５】
【課題を解決するための手段】
〔１〕請求項１に係る発明は自動販売機に係り、その特徴は、
庫内商品の払い出しを互いに独立に行う第１及び第２の商品庫を設けるとともに、第１商品庫の庫内を冷却する冷却手段、及び、第２商品庫の庫内を加熱する加熱手段を設けてある自動販売機において、
第１商品庫の庫内と第２商品庫の庫内とを連通させる連通路、及び、その連通路を開閉する連通路開閉手段を設け、
前記加熱手段により第２商品庫の庫内を高温雰囲気に保つ運転下において、第１商品庫の庫内温度検出に基づき、第１商品庫の庫内温度が商品凍結防止用の設定下限温度まで低下したときに前記連通路開閉手段を連通路閉じ状態から連通路開き状態へ切り換える制御手段を設けてある点にある。
【０００６】
つまり、この構成によれば、第１商品庫の庫内温度が商品凍結防止用の設定温度まで低下したとき、第１商品庫の庫内と第２商品庫の庫内とを連通させる連通路が開かれて、第１商品庫の低温庫内と第２商品庫の高温庫内とが連通状態となることにより、第１商品庫の庫内温度が上昇し、これにより、第１商品庫での庫内商品の凍結が確実に防止される。
【０００７】
ちなみに、庫内商品の凍結を防止するのに、第１商品庫の庫内温度が商品凍結防止用の設定下限温度まで低下したとき作動して、第１商品庫の庫内を加熱する商品凍結防止用の専用加熱手段を別途付加装備することも考えられるが、この場合、商品凍結防止専用の加熱手段を付加するために、装置の複雑化及び大型化を招来するだけでなく、製作コストも高騰化してしまう。これに比べ、請求項１に係る発明の上記構成によれば、庫内を高温雰囲気に保つ運転下（温庫モード）にある第２商品庫の庫内空気を利用するから、装置を簡素化及び小型化することができるとともに、製作コストも低廉化させることができる。
【０００８】
〔２〕請求項２に係る発明は、請求項１に係る発明の実施に好適な実施形態を特定するものであり、その特徴は、
前記制御手段は、前記連通路を開いた状態において第１商品庫の庫内温度が商品凍結防止用の設定下限温度よりも高温の設定解除温度まで上昇回復したときに前記連通路開閉手段を連通路開き状態から連通路閉じ状態へ復帰する構成にしてある点にある。
【０００９】
つまり、この構成によれば、第１商品庫の庫内と第２商品庫の庫内との前述の如き連通により、第１商品庫の庫内温度が商品凍結防止用の設定下限温度よりも高温の設定解除温度まで上昇回復したときに連通路を閉じ状態へ復帰させて、必要以上に両方の商品庫が連通状態にあることを回避するから、第１商品庫での庫内商品の凍結を確実に防止しながらも、庫内を高温雰囲気に保つ運転下にある第２商品庫の庫内温度の低下を最小限に留めることができ、また、その低下した第２商品庫の庫内温度を回復するために必要な加熱手段の追加運転を最小限に抑えることができて、省エネ面及び運転コスト面でも有利になる。
【００１０】
〔３〕請求項３に係る発明は、請求項１又は２に係る発明の実施に好適な実施形態を特定するものであり、その特徴は、
前記第２商品庫の庫内空気を前記加熱手段の風路部を通じて循環させるファンを設け、
前記連通路及び前記連通路開閉手段を、連通路開き状態で前記ファンによる庫内空気循環を実施したとき、その庫内空気循環に随伴させて前記ファンの送風機能により第２商品庫の庫内空気を前記連通路を通じて第１商品庫に強制流入させる構成にしてある点にある。
【００１１】
つまり、この構成によれば、庫内商品の凍結防止のために前述の如く連通路を開いたとき、第２商品庫における庫内空気循環用のファンの送風機能を利用して、第２商品庫の庫内における加熱循環空気を連通路を通じて第１商品庫に強制的に流入させるので、第１商品庫での庫内商品の凍結をより確実に防止することができ、また、第２商品庫の庫内空気を循環させるファンを利用するので、第１商品庫に強制流入させる専用ファンを別途に設けるのに比べ、製作コスト面においても有利である。
【００１２】
〔４〕請求項４に係る発明は、請求項１〜３のいずれか１項に係る発明の実施に好適な実施形態を特定するものであり、その特徴は、
前記連通路開閉手段を連通路閉じ状態にして前記冷却手段及び前記加熱手段を運転することにより、第１商品庫の庫内を冷却しかつ第２商品庫の庫内を加熱する冷温庫並列モードと、
前記連通路開閉手段を連通路開き状態にし、かつ、前記加熱手段を停止した状態で前記冷却手段を運転することにより、その冷却手段による冷却空気を第１及び第２商品庫の両方の庫内に流通させて第１及び第２商品庫の両方の庫内を冷却する２冷庫並列モードとの切り換えを、
切り換え指令に応じて実行するモード切換手段を設けてある点にある。
【００１３】
つまり、この構成によれば、連通路開閉手段及び連通路を、冷温庫並列モードにおいて実施する前述商品凍結防止と、２冷庫並列モードの実現とに兼用しているので、多機能化（即ち、商品凍結防止機能、及び、第２商品庫の冷庫モードと温庫モードとへの切換機能）を実現しながらも、その製作コストを効果的に低廉化することができる。
【００１４】
【発明の実施の形態】
図１は、缶飲料やペットボトル飲料を販売する自動販売機を示し、外扉１を備える機体ケース２の内部には共通の内扉３を備える第１〜第３の商品庫４Ａ〜４Ｃを形成してあり、各商品庫４Ａ〜４Ｃは内扉３及び外扉４を閉じた状態において気密断熱状態になる。
【００１５】
図１〜図４に示すように、各商品庫４Ａ〜４Ｃの庫内には，商品Ｇを左右横向き姿勢で積み重ねて収納する複数ないし単数のストッカ５を設け、各商品庫４Ａ〜４Ｃの庫内においてストッカ５の下方には、各ストッカ５の下端部に装備の払出装置６により各ストッカ５から一本ずつ落下送出される商品Ｇを外扉１に形成の商品払出口７へ導くシューター８を設けてある。
【００１６】
第１商品庫４Ａは収納商品Ｇの冷却処理のみを行う冷却専用庫、第２及び第３商品庫４Ｂ，４Ｃは収納商品Ｇの冷却処理と加熱処理との選択が可能な冷温切換庫であり、図２〜図５に示すように、第１商品庫４Ａにおけるシューター８の下方には第１商品庫４Ａの庫内を温調する第１温調ユニット９Ａを装備し、第２商品庫４Ｂにおけるシューター８の下方には第２商品庫４Ｂの庫内を温調する第２温調ユニット９Ｂを装備し、同様に第３商品庫４Ｃにおけるシューター８の下方には第３商品庫４Ｃの庫内を温調する第３温調ユニット９Ｃを装備してあるとともに、図１０に示すように、各商品庫４Ａ〜４Ｃには各商品庫４Ａ〜４Ｃの庫内温度ｔ１〜ｔ３を検出する庫内温度センサｓ１〜ｓ３が設けられている。
【００１７】
そして、第１温調ユニット９Ａには、冷却手段としての蒸発器１０と第１庫内ファン１１とを装備し、第２温調ユニット９Ｂには、連通路開閉手段である切換ダンパ装置１２と第２庫内ファン１３と加熱手段としての電気ヒータ１４とを装備し、第３温調ユニット９Ｃには、冷却手段としての第３商品庫用の蒸発器１０Ａと第３庫内ファン１５と加熱手段としての電気ヒータ１６とを装備してある。
【００１８】
各商品庫４Ａ〜４Ｃの後壁部には、各庫内ファン１１，１３，１５の運転により上端から各商品庫４Ａ〜４Ｃの庫内空気ａ１〜ａ３を吸入して、その吸入空気ａ１〜ａ３を各温調ユニット９Ａ〜９Ｃに導く庫内ダクト１７が設けてあり、また、各商品庫４Ａ〜４Ｃのシューター８は、各庫内ファン１１，１３，１５の運転により各温調ユニット９Ａ〜９Ｃに導かれた後、各温調ユニット９Ａ〜９Ｃから送出される空気ａ１〜ａ３の通過を許す多孔構造にしてあり、これにより、各庫内ファン１１，１３，１５を運転することで各商品庫４Ａ〜４Ｃの庫内空気ａ１〜ａ３を各温調ユニット９Ａ〜９Ｃに通過させる形態（すなわち、各温調ユニット９Ａ〜９Ｃに装備した蒸発器１０，１０Ａの風路部ｆ１，ｆ３や電気ヒータ１４，１６の風路部ｆ２，ｆ３に通過させる形態）で庫内循環させるようにしてある。
【００１９】
９ｗは各温調ユニット９Ａ〜９Ｃのユニットケースであり、これらユニットケース９ｗは、蒸発器１０，１０Ａ、電気ヒータ１４，１６、庫内ファン１１，１３，１５などの取り付け基台になるとともに、蒸発器１０，１０Ａの風路部ｆ１，ｆ３や電気ヒータ１４，１６の風路部ｆ２，ｆ３に対して循環空気ａ１〜ａ３を通過するための通風路を形成する。
【００２０】
図５，図６に示すように、第１商品庫４Ａと第２商品庫４Ｂとを仕切る断熱仕切壁１８には、その仕切壁１８を挟んで隣接させる状態に配置した第１温調ユニット９Ａと第２温調ユニット９Ｂとの間において第１及び第２の２つの連通路１９ａ，１９ｂを形成してある。
【００２１】
これに対し、第２温調ユニット９Ｂに装備した切換ダンパ装置１２は、図６〜図９に示すように、互いの縦向き回転軸芯ｐ１，ｐ２が平行で、それら回転軸芯ｐ１，ｐ２上に各別に配置した連動ギア２２ａ，２２ｂどうしの咬合により互いに対称的に回動する形態で連動動作する一対の第１及び第２ダンパ羽根２３ａ，２３ｂを備え、図６に示すように両ダンパ羽根２３ａ，２３ｂを断熱仕切壁１８に沿わせる姿勢にして、第１ダンパ羽根２３ａにより第１連通路１９ａを閉じ、かつ、第２ダンパ羽根２３ｂにより第２連通路１９ｂを閉じるのに対し、第２温調ユニット９Ｂのユニットケース９ｗ内に形成した短絡風路としての短絡用通気路を開く短絡循環用位置と、図７に示すように両ダンパ羽根２３ａ，２３ｂを重ね合わせ姿勢にして、第２温調ユニット９Ｂのユニットケース９ｗ内における短絡用通気口２４を両ダンパ羽根２３ａ，２３ｂにより閉じるのに対し、第１及び第２連通路１９ａ，１９ｂを開く迂回循環用位置とに亘って両ダンパ羽根２３ａ，２３ｂを切り換わり動作させる構成にしてある。
【００２２】
つまり、この切換ダンパ装置１２は、両ダンパ羽根２３ａ，２３ｂを上記の迂回循環用位置に切り換えることにより、第２庫内ファン１３による循環空気ａ２を図７に示すように第１及び第２連通路１９ａ，１９ｂを通じて強制的に第１商品庫４Ａの側へ迂回流入させて隣の第１温調ユニット９Ａにおける蒸発器１０の風路部ｆ１に通過させる形態で循環させる迂回循環状態を現出し、また、両ダンパ羽根２３ａ，２３ｂを上記の短絡循環用位置に切り換えることにより、第２庫内ファン１３による循環空気ａ２を図６に示すように短絡用通気路２４を通じて第１温調ユニット９Ａにおける蒸発器１０の風路部ｆ１に対し非通過の状態で循環させる短絡循環状態を現出する。
【００２３】
そして、切換ダンパ装置１２を図７に示す迂回循環状態の側に切り換えた状態において、第１温調ユニット９Ａにおける蒸発器１０を冷却作用させ、かつ、第２温調ユニット９Ｂにおける電気ヒータ１４の加熱作用を停止させて、第１庫内ファン１１及び第２庫内ファン１３を運転することで、第１及び第２商品庫４Ａ，４Ｂの両方の庫内を第１温調ユニット９Ａの蒸発器１０により冷却する２冷庫並列モードを実施し、また、切換ダンパ装置１２を図６に示す短絡循環状態の側に切り換えた状態において、第１温調ユニット９Ａにおける蒸発器１０を冷却作用させ、かつ、第２温調ユニット９Ｂにおける電気ヒータ１４を加熱作用させて、第１庫内ファン１１及び第２庫内ファン１３を運転することで、第１商品庫４Ａの庫内を蒸発器１０により冷却し、かつ、第２商品庫４Ｂの庫内を電気ヒータ１４により加熱する冷温庫並列モードを実施するようにしてある。
【００２４】
また一方、第３商品庫４Ｃについては、第３温調ユニット９Ｃにおける第３商品庫用蒸発器１０Ａを冷却作用させ、かつ、第３温調ユニット９Ｃにおける電気ヒータ１６の加熱作用を停止させて第３庫内ファン１５を運転することで、第３商品庫４Ｃの庫内を第３商品庫用蒸発器１０Ａにより冷却する第３商品庫冷却モードを、上記の２冷庫並列モード及び冷温庫並列モードのそれぞれと並行する形態で実施し、また、第３温調ユニット９Ｃにおける第３商品庫用蒸発器１０Ａの冷却作用を停止させ、かつ、第３温調ユニット９Ｃにおける電気ヒータ１６を加熱作用させて第３庫内ファン１５を運転することにより、第３商品庫４Ｃの庫内を電気ヒータ１６により加熱する第３商品庫加熱モードを、上記の２冷庫並列モード及び冷温庫並列モードのそれぞれと並行する形態で実施するようにしてある。
【００２５】
なお、図６に示すように、第１及び第２ダンパ羽根２３ａ，２３ｂのそれぞれにおいて、それらダンパ羽根２３ａ，２３ｂが短絡循環用位置にあるときに仕切壁１８の第１及び第２連通路１９ａ，１９ｂに対して閉塞作用する羽根部分には断熱材Ｄが付設してある。
【００２６】
２５は、一方の連動ギア２２ａに咬合させた駆動ギア２５ａを回転させて両ダンパ羽根２３ａ，２３ｂを操作すると駆動手段としての減速機付き電動モータ、２６は、一方のダンパ羽根２３ｂとの接触により両ダンパ羽根２３ａ，２３ｂが迂回循環用位置に至ったことを検出するリミットスイッチであり、上記の切換ダンパ装置１２では、迂回循環状態への切換指令が付与されると、リミットスイッチ２６とダンパ羽根２３ｂとの接触がリミットスイッチ２６により検出されるまで、両ダンパ羽根２３ａ，２３ｂを迂回循環用位置の側へ回動させる方向に電動モータ２５を駆動して、両ダンパ羽根２３ａ，２３ｂを迂回循環用位置で回動停止させ、また逆に、短絡循環状態への切換指令が付与されると、両ダンパ羽根２３ａ，２３ｂを短絡循環用位置の側へ回動させる方向に電動モータ２５を設定時間だけ駆動して、両ダンパ羽根２３ａ，２３ｂを短絡循環用位置で回動停止させるようにしてある。
【００２７】
前記の各蒸発器１０，１０Ａとともに冷凍回路Ｒを形成する圧縮機２７及び凝縮器２８は機体ケース２の内部において第１〜第３商品庫４Ａ〜４Ｃの下方の庫外に配置してあり、そして、この自動販売機では、図１０に示すように圧縮機２７−凝縮器２８−電子制御膨張弁２９−蒸発器１０−圧縮機２７の順に冷媒を循環させる冷凍回路Ｒにおいて、電子制御膨張弁２９と蒸発器１０との直列接続組とは並列に、電磁開閉弁３０とキャピラリーチューブ３１と第３商品庫用蒸発器１０Ａとの直列接続組を付加装備してある。
【００２８】
つまり、２冷庫並列モード又は冷温庫並列モードに並行して第３商品庫冷却モードを実施する場合には、電磁開閉弁３０を開弁して蒸発器１０及び第３商品庫用蒸発器１０Ａの両方に冷媒を通過させる状態で圧縮機２７による冷媒循環運転を実施し、これにより、凝縮器２８を外気ファン３１による通風外気ｏａに対し放熱作用させながら、蒸発器１０及び第３商品庫用蒸発器１０Ａを各々の風路部ｆ１，ｆ３の通過空気ａ１，ａ２，ａ３（又は通過空気ａ１，ａ３）に対して冷却作用させる。
【００２９】
また、２冷庫並列モード又は冷温庫並列モードに並行して第３商品庫加熱モードを実施する場合には、電磁開閉弁を閉弁して第３商品庫用蒸発器１０Ａにおける冷媒通過を断った状態で圧縮機２７による冷媒循環運転を実施し、これにより、第３商品庫用蒸発器１０Ａの冷却作用を停止させた状態で、凝縮器２８を外気ファン３１による通風外気ｏａに対し放熱作用させながら、蒸発器１０をその風路部ｆ１の通過空気ａ１，ａ２（又は通過空気ａ１）に対して冷却作用させる。
【００３０】
３２ａは蒸発器１０の入口における冷媒の温度ｔｉを検出する入口温センサ、３２ｂは蒸発器１０の出口における冷媒の温度ｔｏを検出する出口温センサ、３３は制御装置であり、この制御装置３３は、管理者の付与指令に応じて前記の２冷庫並列モード、冷温庫並列モード、第３商品庫冷却モード、第３商品庫加熱モードを選択的に実行する。
【００３１】
また、この制御装置３３は、電子制御膨張弁２９に対する制御手段として、上記各モードごとの制御プログラムに従い、蒸発器１０の出口における冷媒の過熱度を所定の適正値に維持するように、入口温センサ３２ａ及び出口温センサ３２ｂの検出情報に基づき電子制御膨張弁２９を制御する。
【００３２】
更に、制御装置３３は、前述の各庫内温度センサｓ１〜ｓ３の検出情報に基づき、上記の各モードにおいて各商品庫４Ａ〜４Ｃの庫内温度ｔ１〜ｔ３を設定目標温度に保つように、圧縮機２７、電磁開閉弁３０、各電気ヒータ１４，１６などを操作する庫内温度制御を実行し、具体的には、制御装置３３は、冷温庫並列モードの場合、第１商品庫４Ａについては、庫内温度センサｓ１による検出温度ｔ１が好適冷却温度として設定してある目標冷却温度範囲Ｔｃを低温側に逸脱したとき、第３商品庫用蒸発器１０Ａの運転が必要な状況下では電子制御膨張弁２９を閉弁して、また、第３商品庫用蒸発器１０Ａの運転が不要な状況下では電子制御膨張弁を閉弁するとともに圧縮機２７の運転を停止して、蒸発器１０の冷却作用を停止させ、一方、庫内温度センサｓ１による検出温度ｔ１が目標冷却温度範囲Ｔｃを高温側に逸脱したとき、圧縮機２７の運転下では電子制御膨張弁２９を開弁して、また、圧縮機２７の運転停止下では圧縮機２７の運転を再開するとともに電子制御膨張弁２９を開弁して蒸発器１０の冷却作用を再開させる。
【００３３】
そして、これに並行して第２商品庫４Ｂについては、庫内温度センサｓ２による検出温度ｔ２が好適加熱温度として設定してある目標加熱温度範囲Ｔｈを高温側に逸脱したとき、電気ヒータ１４の加熱作用を停止させ、一方、庫内温度センサｓ２による検出温度ｔ２が目標加熱温度範囲Ｔｈを低温側に逸脱したとき、電気ヒータ１４の加熱作用を再開させる。
【００３４】
これに対し、制御装置３３は、２冷庫並列モードの場合、庫内温度センサｓ１，ｓ２による検出温度ｔ１，ｔ２がともに目標冷却温度範囲Ｔｃを低温側に逸脱したとき、第３商品庫用蒸発器１０Ａの運転が必要な状況下では電子制御膨張弁２９を閉弁して、また、第３商品庫用蒸発器１０Ａの運転が不要な状況下では電子制御膨張弁２９を閉弁するとともに圧縮機２７の運転を停止して、蒸発器１０の冷却作用を停止させ、一方、庫内温度センサｓ１，ｓ２による検出温度ｔ１，ｔ２の少なくとも一方が目標冷却温度範囲Ｔｃを高温側に逸脱したとき、圧縮機２７の運転下では電子制御膨張弁２９を開弁して、また、圧縮機２７の運天停止下では圧縮機２７の運転を再開するとともに電子制御膨張弁２９を開弁して、蒸発器１０の冷却作用を再開させる。
【００３５】
さらに、制御装置３３は、第３商品庫冷却モードの場合、庫内温度センサｓ３による検出温度ｔ３が目標冷却温度範囲Ｔｃ′を低温側に逸脱したとき、蒸発器１０の運転が必要な状況下では電磁開閉弁３０を閉弁して、また、蒸発器１０の運転が不要な状況下では電磁開閉弁３０を閉弁するとともに圧縮機２７の運転を停止して、第３商品庫用蒸発器１０Ａの冷却作用を停止させ、一方、庫内温度センサｓ３による検出温度ｔ３が目標冷却温度範囲Ｔｃ′を高温側に逸脱したとき、圧縮機の運転下では電磁開閉弁３０を開弁して、また、圧縮機２７の運転を再開するとともに電磁開閉弁３０を開弁して，第３商品庫用蒸発器１０Ａの冷却作用を再開させる。
【００３６】
そしてまた、制御装置３３は、第３商品庫加熱モードの場合、庫内温度センサｓ３による検出温度ｔ３が目標加熱温度範囲Ｔｈ′を高温側に逸脱したとき、電気ヒータ１６の加熱作用を停止させ、一方、庫内温度センサｓ３による検出温度ｔ３が目標加熱温度範囲Ｔｈ′を低温側に逸脱したとき、電気ヒータ１６の加熱作用を再開させる。
【００３７】
更に、寒冷季には第１及び第２商品庫４Ａ，４Ｂについて冷温庫並列モードを実施し、第３商品庫４Ｃについて第３商品庫加熱モードを実施するが、極寒地では寒冷季に、冷温庫並列モードを実施している第１商品庫４Ａで外気温の影響により庫内商品Ｇが凍結する恐れがあるので、これに対する策として、制御装置３３は、切換ダンパ装置１２を図６に示す短絡循環状態の側に切り換えた状態（すなわち、第１及び第２連通路１９ａ，１９ｂを閉塞してある状態）にある冷温庫並列モードにおいて、庫内温度センサｓ１により検出される第１商品庫４Ａの庫内温度ｔ１が設定されてある商品凍結防止用の設定下限温度ｔｔａ（前記目標冷却温度範囲Ｔｃよりも低温で商品凍結温度よりも高温の温度）まで低下したとき、切換ダンパ装置１２を図７に示す迂回循環状態の側に切り換えた状態（すなわち、第１及び第２連通路１９ａ，１９ｂを開放してある状態）にして、第１庫内ファン１１及び第２庫内ファン１３を運転する凍結防止運転を実行する構成にしてある。
【００３８】
つまり、この凍結防止運転により、第２温調ユニット９Ｂの電気ヒータ１４を以って加熱した第２商品庫４Ｂの庫内空気を強制的に第１連通路１９ａを通じて第１商品庫４Ａに流入させるようにし、これにより、第１商品庫４Ａの庫内温度ｔ１を上昇させて第１商品庫４Ａにおける庫内商品Ｇの凍結を回避する。
【００３９】
また、制御装置３３は、凍結防止運転の実行下において、庫内温度センサｓ１による検出庫内温度ｔ１が商品凍結防止用の設定下限温度ｔｔａよりも高温に設定されてある所定の解除温度ｔｔｂ（前記目標冷却温度範囲Ｔｃよりも低温の温度）にまで上昇したとき、切換ダンパ装置１２を図６に示す短絡循環状態の側に復帰して第１及び第２連通路１９ａ，１９ｂを再び閉塞する構成にしてあり、これにより、第２商品庫４Ｂの高温庫内空気を利用して第１商品庫４Ａにおける庫内商品Ｇの凍結を防止する形態を採りながらも、第２商品庫４Ｂの庫内温度低下、及び、その庫内温度低下に対する電気ヒータ１４の追加運転を最小限に留める。
【００４０】
以上、本実施形態において、ダンパ装置１２は、第１商品庫４Ａの庫内と第２商品庫４Ｂの庫内とを連通させる連通路１９ａ，１９ｂを開閉する連通路開閉手段を構成し、制御装置３３は、電気ヒータ１４（加熱手段）により第２商品庫４Ｂの庫内を高温雰囲気に保つ運転（冷温庫並列モード）下において、第１商品庫４Ａの庫内温度検出に基づき、第１商品庫４Ａの庫内温度ｔ１が商品凍結防止用の設定下限温度ｔｔａまで低下したとき連通路開閉手段としてのダンパ装置１２を連通路閉じ状態から連通路開き状態に切り換え、かつ、連通路１９ａ，１９ｂを開いた状態において第１商品庫４Ａの庫内温度ｔ１が商品凍結防止用の設定下限温度ｔｔａよりも高温の設定解除温度ｔｔｂまで上昇回復したとき連通路開閉手段としてのダンパ装置１２を連通路開き状態から連通路閉じ状態へ復帰する制御手段を構成する。
【００４１】
また、制御手段３３は、連通路開閉手段としてのダンパ装置１２を連通路閉じ状態にして蒸発器１０（冷却手段）及び電気ヒータ１４（加熱手段）を運転することにより第１商品庫４Ａの庫内を冷却しかつ第２商品庫４Ｂの庫内を加熱する冷温庫並列モードと、連通路開閉手段としてのダンパ装置１２を連通路開き状態にし、かつ、電気ヒータ１４を停止した状態で蒸発器１０を運転することにより、その蒸発器１０による冷却空気を第１及び第２商品庫４Ａ，４Ｂの両方の庫内に流通させて第１及び第２商品庫４Ａ，４Ｂの両方の庫内を冷却する２冷庫並列モードとの切り換えを、切り換え指令に応じて実行するモード切換手段を構成する。
【００４２】
なお、寒冷季において第１及び第２商品庫４Ａ，４Ｂにつき２冷庫並列モードを実施する場合には、制御手段３３は、庫内温度センサｓ１，ｓ２による検出温度ｔ１，ｔ２の少なくとも一方が商品凍結防止用の設定下限温度ｔｔａまで低下したとき、凍結防止運転として、そのときに蒸発器１０が冷却作用状態にあれば蒸発器１０の冷却作用を停止した上で電気ヒータ１４を加熱作用させ、そして、庫内温度センサｓ１，ｓ２による検出温度ｔ１，ｔ２の両方が前記解除温度ｔｔｂまで上昇すると電気ヒータ１４の加熱作用を停止させる構成にしてある。
【００４３】
また、寒冷季において第３商品庫４Ｃにつき第３商品庫冷却モードを実施する場合には、制御装置３３は、庫内温度センサｓ３による検出温度ｔ３が商品凍結防止用の設定下限温度ｔｔａまで低下したとき、凍結防止運転として、そのときの冷却作用を停止した上で電気ヒータ１６を加熱作用させ、そして、庫内温度センサｓ３による検出温度ｔ３が前記解除温度ｔｔｂまで上昇すると電気ヒータ１６の加熱作用を停止させる構成にしてある。
【００４４】
〔別の実施形態〕
次に別実施形態を列記する。
【００４５】
請求項１に係る発明の実施において、第１及び第２連通路１９ａ，１９ｂを開閉する連通路開閉手段は前述の実施形態で示した切換ダンパ装置１２のような構造のものに限らず、図１１，図１２の示したシャッター装置４２のような構造のものを制御手段により切換操作するものであってもよい。
【００４６】
例えば、図１１に示すように、第１商品庫４Ａと第２商品庫４Ｂとの間に設けられた仕切壁１８に連通路１９ｃ，１９ｄを形成し、その連通路１９ｃ，１９ｄを開閉する２枚の格子状の開閉板４０，４１を重ね合わせた構造のシャッター装置４２である。
【００４７】
つまり、制御装置３３によりシャッター装置４２の開閉板４０，４１の相対的な摺動操作で、図１２（イ）に示すように、それら開閉板４０，４１の開口部４０ａ，４１ａどうしが重なり合わせた連通路開き状態と、図１２（ロ）に示すように、開閉板４０，４１それぞれの開口部４０ａ，４１ａが相互いの開閉板４０，４１の目隠し部４０ｂ，４１ｂにより閉塞される連通路閉じ状態とに切り換える。
【００４８】
請求項２に係る発明の実施において、制御手段は前述の実施形態で示したように、第１庫内温度センサｓ１の庫内温度検出に基づいて、第１及び第２連通路１９ａ，１９ｂを開いた状態において第１商品庫４Ａの庫内温度ｔ１が商品凍結防止用設定下限温度よりも高温の設定解除温度まで上昇回復したとき切換ダンパ装置１２を操作して第１及び第２連通路１９ａ，１９ｂを開き状態から閉じ状態へ復帰する構成にしたが、切換ダンパ装置１２が第１及び第２連通路１９ａ，１９ｂを開き状態に切り換えた時点からの経過時間が設定時間に至ったとき、切換ダンパ装置１２が第１及び第２連通路１９ａ，１９ｂを閉じ状態に復帰させる、所謂タイマー方式を採用してもよい。
【００４９】
本発明は冷却や加熱を要する商品であれば、缶飲料やペットボトル飲料に限らず種々の商品の自動販売機に適用できる。
【図面の簡単な説明】
【図１】扉を開いた状態を示す自動販売機の斜視図
【図２】第１商品庫下部の側面視断面図
【図３】第２商品庫下部の側面視断面図
【図４】第３商品庫下部の側面視断面図
【図５】商品庫下部の平面視断面図
【図６】短絡循環状態を示す要部の平面視断面図
【図７】迂回循環状態を示す要部の平面視断面図
【図８】切換ダンパ装置の拡大側面図
【図９】切換ダンパ装置の拡大平面図
【図１０】冷凍回路の構成図
【図１１】別実施形態を示す自動販売機の装置構成図
【図１２】別実施形態を示すシャッター装置の構造図
【符号の説明】
４Ａ　　　第１商品庫
４Ｂ　　　第２商品庫
１２　　　開閉手段（モード切換手段）
１３　　　ファン
１０　　　冷却手段
１６　　　加熱手段
１９ａ　　連通路
１９ｂ　　連通路
３３　　　制御手段
ａ２　　　第２商品庫の庫内空気
ｆ２　　　加熱手段の風路部
Ｇ　　　　庫内商品
ｔ１　　　第１商品庫の庫内温度
【図１】
2004054339.tif 000003
【図２】
2004054339.tif 000004
【図３】
2004054339.tif 000005
【図４】
2004054339.tif 000006
【図５】
2004054339.tif 000007
【図６】
2004054339.tif 000008
【図７】
2004054339.tif 000009
【図８】
2004054339.tif 000010
【図９】
2004054339.tif 000011
【図１０】
2004054339.tif 000012
【図１１】
2004054339.tif 000013
【図１２】
2004054339.tif 000014